(57)【特許請求の範囲】
【請求項１】
コンクリートからなる壁板の側面に吸音材が取付けられ、前記壁板は、脚部に穿設された通孔にアンカーボルトを挿入して道路上に固定され、吸音材は、その外面に光触媒が担持され、壁板の端面が上下方向に沿って斜めに切り欠かれ、防音壁を複数連設する場合に、道路がカーブしていても、斜めに切り欠かれたその切欠面を対向させながら連設することにより、その道路線形に対応することができるようになされたことを特徴とする防音壁。
【請求項２】
コンクリートからなる壁板の一方の側面に吸音材が取付けられ、壁板の他方の側面に石積調やレンガ調等の模様が付されていることを特徴とする請求項１又は２に記載の防音壁。
【発明の詳細な説明】
【０００１】
【発明の属する技術分野】
本発明は、道路や鉄道の沿線等に沿って設置される防音壁に関するものである。
【０００２】
【従来の技術】
車両からの騒音を遮断するために、防音壁が道路や鉄道の沿線等に沿って設置されことがある。従来、かかる防音壁としては、例えば、所定間隔をあけて道路上に立設したＨ型鋼よりなる支柱の相対向する凹溝間に、落とし込むようにしてコンクリートからなる壁板を取付けたものがある。
【０００３】
【発明が解決しようとする課題】
しかしながらかかる防音壁にあっては、支柱の施工が必要であり、又重量物であるコンクリートからなる壁板を支柱の高さ以上に持ち上げて支柱の凹溝間に落とし込むことから、壁板を持ち上げるクレーン等の重機が必要であり、又その施工も容易ではない。
【０００４】
他方、上記の如き防音壁は、車両等の走行に伴う騒音を発する所に設置されることにより、騒音公害を低減できるものであるが、近年では、騒音公害と共に、車両等の排気ガス等から排出される窒素酸化物による環境汚染の問題も指摘されている。しかしながら、従来の遮音壁は騒音公害の低減のみを目的としたものであり、窒素酸化物による環境汚染に対する大気浄化については何ら効果のないものである。
【０００５】
そこで本発明は上記の如き問題を解決し、施工が容易であり、且つ騒音公害を防止すると共に大気浄化を図ることができる防音壁を提供せんとするものである。
【０００６】
【課題を解決するための手段】
上記目的を達成するために、本発明は次のような構成としている。
すなわち、本発明に係る防音壁は、コンクリートからなる壁板の側面に吸音材が取付けられ、前記壁板は、脚部に穿設された通孔にアンカーボルトを挿入して道路上に固定され、吸音材は、その外面に光触媒が担持されていることを特徴とするものである。
【０００７】
本発明によれば、コンクリートからなる壁板の遮音効果と、その側面に取付けられた吸音材による吸音効果とによって騒音公害を効果的に防止できる。
【０００８】
又、吸音材の外面に担持された光触媒によって、空気中の窒素酸化物が効果的に除去され、大気浄化を図ることができる。すなわち、車両等の走行に伴う風圧によって窒素酸化物が多く存在する地表近くの空気が巻き上げられて吸音材の外面に運ばれ、一方紫外線の照射によって吸音材の外面に担持された二酸化チタン等の光触媒が活性化されることから、空気中の窒素酸化物がこの活性化された光触媒に触れることにより、光触媒の活性による強い酸化力と水分の存在によって硝酸に酸化され、それらが雨水等により洗い流され、効果的に除去される。
【０００９】
又光触媒を担持させる吸音材はその表面の凹凸によって、表面積が極めて大きいことから、光触媒に触れる大気も多く、光触媒による大気浄化機能が極めて優れる。
【００１０】
さらに壁板は、脚部に穿設された通孔にアンカーボルトを挿入して道路上に固定されるようになされており、従来と比べて、支柱を施工する必要がないので、支柱を施工するに要する施工の手間がなく、又施工が容易である。
【００１１】
なお、本発明において、壁板の端面が上下方向に沿って斜めに切り欠かれ、防音壁を複数連設する場合に、道路がカーブしていても、斜めに切り欠かれたその切欠面を対向させながら連設することにより、その道路線形に対応することができるようになされたものである。
【００１２】
又防音壁が設置されると、圧迫感があり、且つ周囲の都市景観を損なう恐れがあるが、コンクリートからなる壁板の一方の側面にのみ吸音材を取付ける場合は、その壁板の他方の側面に石積調やレンガ調等の模様を付しておけば、圧迫感が低減されると共に美感が高まり、都市景観を向上させることができる。
【００１３】
【発明の実施の形態】
次に、本発明の実施の形態について図面を参照し、具体的に説明する。
図１は本発明に係る防音壁の実施の一形態を示す断面図、図２はその平面図、図３は側面図、図４は他方の側面図、図５は図１の防音壁が直線状に複数連設された状態を示す平面図、図６は曲線状に複数連設された状態を示す平面図である。
【００１４】
図面において、１はコンクリートからなる壁板であり、２は前記壁板１の一方の側面に取付けられた吸音材である。
【００１５】
壁板１は、両側面の下部にそれぞれ脚部１１が張り出され、その脚部１１に穿設された通孔１２に、基礎Ａに植設されたアンカーボルト３が挿入され、ナット４締めされて道路上に固定されるようになされている。前記脚部１１は、壁板１を道路上に固定して倒壊を防ぐものであって、壁板１と一体的にコンクリートから形成されていてもよいし、コンクリート又は他の材料から別体で形成された脚部１１が後工程で壁板１に取付けられていてもよい。１３は、脚部１１を補強するための厚肉部である。
【００１６】
なお、吸音材２が取付けられた側面は、平板状とし、吸音材２の裏面全面がその側面に密着するようにしてもよいが、本形態ではリブ１４によって形成される多数の凹み部１５が形成され、その凹み部１５によって、吸音材２の背面側に空気層１６が形成されている。かように空気層１６を設けることにより、騒音がこの空気層１６で反射減衰されるため、吸音性能がさらに向上する。又この空気層１６に吸音材を内装してもよい。
【００１７】
さらに壁板１は、その端面の隅部が上下方向に沿って斜めに切り欠かれた切欠面１７となされ、図５の如く、防音壁Ｐを直線状に複数連設する場合、図６の如く、防音壁Ｐを曲線状に複数連設する場合、いずれにおいても、その切欠面１７を対向させながら連設することにより、道路線形に容易に対応して設置することができるようになされている。なお５は、隣接する防音壁Ｐ間の隙間を埋めるモルタルを示しており、切欠面１７を設けることによってその使用量も少なくなっている。
【００１８】
さらに又、吸音材２を取付けていない壁板１の他方の側面には、石積調６１やレンガ調６２等の模様６を付しておくのが好ましい。この模様６によって、圧迫感が低減されると共に美感が高まり、都市景観を向上させることができる。
【００１９】
壁板１の一方の側面に取付けられた吸音材２としては、一般にはグラスウールやロックウールが用いられるが、その他、アルミニウム等の金属繊維からなるもの、金属繊維をバインダーを介して結合させたもの、金属やセラミック等の粉末や粒状体、金属短繊維等を焼結した焼結材からなるもの、また金属発泡材や有機発泡材、無機発泡材等の発泡材からなるもの等も用いることができ、特に限定されるものではない。
【００２０】
吸音材２を壁板１の側面に取付けるには、壁板１のコンクリート成型時に貼り付けてもよいし、接着剤や両面粘着テープ等の粘着材によって貼り付けてもよいし、ボルト等の固定具によって取付けてもよく、取付方法は特に限定されるものではない。
【００２１】
前記吸音材２の外面には光触媒２１が担持され、光触媒２１としては二酸化チタンが好適に用いられる。二酸化チタンはルチル型でもよいが、活性の高さからアナターゼ型のものが好ましく、この二酸化チタンに波長領域が３００〜４００ｎｍの紫外線を照射することによって活性化され、その活性化により強い酸化力が発揮されて、二酸化チタンの表面に接する大気中の窒素酸化物が水の存在によって硝酸に酸化されて除去される。
【００２２】
なお、光触媒２１は、吸音材２を取付けていない壁板１の他方の側面にも担持させておいてもよい。壁板１の他方の側面に石積調６１やレンガ調６２等の模様６を付し、さらにその上に光触媒２１を担持させておけば、この模様６によって光触媒２１を担持させる表面積が増すので、光触媒２１による大気浄化機能を増加させることができる。
【００２３】
上記形態においては、吸音材２は、壁板１の一方の側面にのみ取付けられているが、両側面に取付けられていてもよく、又側面に部分的に取付けられていてもよく、特に限定されるものではない。
【００２４】
【発明の効果】
本発明によれば、コンクリートからなる壁板の遮音効果と、その側面に取付けられた吸音材による吸音効果とによって騒音公害が効果的に防止でき、又、吸音材の外面に担持された光触媒によって、空気中の窒素酸化物が効果的に除去され、大気浄化を図ることができる。しかも、光触媒を担持させる吸音材はその表面の凹凸によって、表面積が極めて大きいことから、光触媒に触れる大気も多く、光触媒による大気浄化機能が極めて優れる。
【００２５】
さらに壁板は、脚部に穿設された通孔にアンカーボルトを挿入して道路上に固定されるようになされており、従来と比べて、支柱を施工する必要がないので、支柱を施工するに要する施工の手間がなく、又施工が容易である。
【図面の簡単な説明】
【図１】本発明に係る防音壁の実施の一形態を示す断面図である。
【図２】図１の平面図である。
【図３】図１の側面図である。
【図４】図１の他の側面図である。
【図５】図１の防音壁が直線状に複数連設された状態を示す平面図である。
【図６】図１の防音壁が曲線状に複数連設された状態を示す平面図である。
【符号の説明】
１    壁板
１１  脚部
１２  通孔
１３  厚肉部
１４  リブ
１５  凹み部
１６  空気層
１７  切欠面
２    吸音材
２１  光触媒
３    アンカーボルト
４    ナット
５    モルタル
６    模様
６１  石積み調の模様
６２  レンガ調の模様
【図１】
0003827474.tif 000002
【図２】
0003827474.tif 000003
【図３】
0003827474.tif 000004
【図４】
0003827474.tif 000005
【図５】
0003827474.tif 000006
【図６】
0003827474.tif 000007